(57)【要約】【課題】収納箱に切刃を取り付けずに、周知と同様に収納箱から引き出されたシート状物を切断することができ、しかも、複数の収納箱に対して繰り返し使用することが可能な収納箱用の切刃装置を提供する。【解決手段】収納箱Ａのラップ押え片部４に沿って抜き差し着脱可能に取り付けられる刃部保持体６に切刃５を備えている。刃部保持体６は、ラップ押え片部４の開放縁部４ａに沿って、該開放縁部４ａを内外面から挟み込む一対の挟持片部６ａ，６ｂを有する断面視で略Ｕ字形状を形成され、そのいずれか一方の挟持片部６ａ，６ｂに沿わせて刃先５を突出状に備えていることである。【選択図】図２
2010100310.tif 000002
【特許請求の範囲】
【請求項１】
箱外に引き出されて切断されるシート状物のロール体を収納する収納箱に着脱可能に装着される切刃装置であって、
前記収納箱のラップ押え片部に沿って抜き差し着脱可能に取り付けられる刃部保持体と、
この刃部保持体の長辺方向に沿って固着され、前記収納箱内から引き出された前記シート状物を切断する切刃と、を備え、
前記刃部保持体は、前記ラップ押え片部の開放縁部に沿って、該開放縁部を内外面から挟み込む一対の挟持片部を有する断面視形状に形成され、
前記切刃は、前記一対の挟持片部のいずれか一方に沿って固着されていることを特徴とする収納箱用切刃装置。
【請求項２】
前記刃部保持体は、弾性を有する材料によって形成され、かつ、前記一対の挟持片部のいずれか一方の開放端部側に、前記ラップ押え片部に開放縁部に差し込み装着するときの差込み案内部を備えていることを特徴とする請求項１に記載の収納箱用切刃装置。
【請求項３】
前記差込み案内部は、前記挟持片部の前記開放端部における一側コーナー側において斜めにカットされていることを特徴とする請求項１または請求項２に記載の収納箱用切刃装置。
【発明の詳細な説明】
【技術分野】
【０００１】
本発明は、食品包装用のラップフィルム、アルミホイル、クッキングペーパなどのシート状物のロール体を収納する収納箱に着脱可能に装着されて、箱外に必要な長さだけ引き出されたシート状物を切断するための切刃を備えている切刃装置に関する。
【背景技術】
【０００２】
例えば、ロール状に巻かれているラップフィルムを収納する収納箱としては種々の構造形態のものが提案されている(例えば、特許文献１および特許文献２などを参照)。
従来から知られている一般的な収納箱は、例えば、特許文献１に開示されているように、ロール状に巻かれているラップフィルムのロール体が収納される側面視で略正四角形状で横長の略角型筒状（角型柱状）に形成され、開口部の長辺一側縁から連設されて該開口部を開閉する蓋体にはラップ押え片部を備えている。そして、開口部から必要な長さだけ引き出されたラップフィルムが、ラップ押え片部の開放縁部に沿って固着されている金属製の切刃（切断刃）によって切断されることにより、必要とする長さのラップフィルムが繰り返し供給されるように構成されている。
【０００３】
ところで、近年では、ゴミの分別廃棄が広くいきわたっており、その一環として、使用済みの収納箱は、金属製の切刃を紙製の収納箱から取り外して分別廃棄することが望まれている。
【特許文献１】特開２０００−１９０９５７号公報
【特許文献２】特開２００８−１５０１０７号公報
【発明の開示】
【発明が解決しようとする課題】
【０００４】
しかし、切刃は、ラップ押え片部に対し、切刃側に設けられている爪による突き刺し折り曲げなどによって頑丈に取り付けられている。しかも、切刃は、ラップ押え片部の開放縁部からその刃先がわずかに出ているだけであるために、掴むことができず、簡単には取り外すことができない。
【０００５】
そこで、従来では、切刃の近くでラップ押え片部を収納箱から切り裂いたり、掴み工具などを用いて切刃の刃先を掴んで、ラップ押え片部から切刃を無理やり取り外すなどで、切刃と収納箱とを分別することが行われているが、その際に切刃が勢いよく跳ねて手を傷つけるなどの危険が伴うものとなっていた。
このように、従来では、収納箱からの切刃の取り外しが容易ではなく分別廃棄がしづらい上に、危険と伴うなどの問題があり、その対策が望まれていた。
【０００６】
そこで、本発明は、前記課題を解消するために創案されたものであり、収納箱に切刃を取り付けずに、周知と同様に収納箱から引き出されたシート状物を切断することができ、しかも、複数の収納箱に対して繰り返し使用することが可能な収納箱用の切刃装置を提供することにある。
【課題を解決するための手段】
【０００７】
前記課題を解決するために、本発明では、箱外に引き出されて切断されるシート状物のロール体を収納する収納箱に着脱可能に装着される切刃装置であって、
前記収納箱のラップ押え片部に沿って抜き差し着脱可能に取り付けられる刃部保持体と、
この刃部保持体の長辺方向に沿って固着され、前記収納箱内から引き出された前記シート状物を切断する切刃と、を備え、前記刃部保持体は、前記ラップ押え片部の開放縁部に沿って、該開放縁部を内外面から挟み込む一対の挟持片部を有する断面視形状に形成され、前記切刃は、前記一対の挟持片部のいずれか一方に沿って固着されていることを特徴とする。
ここで、前記刃部保持体は、弾性を有する材料によって形成され、かつ、前記一対の挟持片部のいずれか一方の開放端部側に、前記ラップ押え片部に開放縁部に差し込み装着するときの差込み案内部を備えていることが好適なものとなる。
そして、前記差込み案内部は、前記挟持片部の前記開放端部における一側コーナー側において斜めにカットされている形状・構造とすることが好適なものとなる。
また、前記一対の挟持片部を有する前記刃部保持体の断面視形状としては、略Ｊ字形状や略Ｕ字形状などを挙げることができる。
【０００８】
このような構成によれば、収納箱のラップ押え片部の開放縁部側から一対の挟持片部を嵌め合わせ差し込むことで、ラップ押え片部に係脱自在に装着される刃部保持体には収納箱から引き出されるシート状物を切断する切刃が取り付けられている。これにより、収納箱側への切刃は不要であるために、シート状物が無くなった使用済の収納箱をそそまま廃棄することができる。
つまり、従来品のように、面倒で危険が伴う切刃を取り外すなどの分別を行うことなく、収納箱を廃棄処理することができる。
また、刃部保持体は、弾性を有する材料から形成されていることで、ラップ押え片部に装着するときには、一対の挟持片部の間を広げるようにラップ押え片部の開放端部側に嵌め差し込むことで、ラップ押え片部に取り付けることができる。このとき、一方の挟持片部側に備えられている斜めにカットされた差込み案内部を、ラップ押え片部の開放縁部に対向させた状態で行うことで、より一層簡単に取り付けることができる。
できる。
【発明の効果】
【０００９】
本発明の収納箱用切刃装置は、以上のように構成されていることで、収納箱に切刃を取り付けずに、周知と同様に引き出されたシート状物を刃部保持体に備えられている切刃によって切断することができる。しかも、使用済になった収納箱を廃棄するときに、危険が伴う切刃の取り外しが不要で、新しい収納箱に対して繰り返し使用することができる。
これにより、収納箱は、材料費と製作費が掛かる金属材などからなる切刃が不要であるために、その分、安価に製作して提供することが可能となる。
【００１０】
また、本発明によれば、収納箱から引き出されたシート状物が切断されるときに、シート状物を収納箱の壁面との間で挟み込むように押さえ込むラップ押え片部の長辺方向は全体にわたり刃部保持体よって剛性（強度）が付与される。
これにより、消費者が日常的にシート状物を繰り返し引き出して切断するときに、シート状物の幅方向全体を収納箱の壁面との間で均一に、かつ、確実に押さえ込むことができるので、シート状物の幅方向全体にわたり均等なテンションを掛けつつ切刃に押し当てて、速やかにシート状物を切断することが可能になる。
【発明を実施するための最良の形態】
【００１１】
以下、本発明の実施形態について、適宜図面を参照しながら詳細に説明する。
図１は、本実施形態に係る切刃装置を収納箱に装着した状態を示す斜視図であり、図２は、同縦断側面図である。
なお、食品包装用のシート状物としては、ラップフィルム、アルミホイル、クッキングペーパなどを挙げることができるが、本実施形態については、ラップフィルムのロール体を収納する収納箱を一例に挙げて説明する。
【００１２】
≪収納箱の構成≫
収納箱Ａは、図１に示すように、厚紙などを用いて、周知のように、ラップフィルム1のロール体1ａを収容し得る大きさを有する略横長角型柱状に形成されている。
そして、収納箱Ａは、その四面一側の上面に開口部２を備えているとともに、この開口部２の開口長辺一側縁部に沿わせて連設させた蓋体３を備えている。この蓋体３には、ラップフィルム１を必要な長さだけ引き出した後に、ラップフィルム１を押えるためのラップ押え片部４が備えられている。
【００１３】
そして、収納箱Ａのラップ押え片部４には、図１および図２に示すように、切刃５を備えた切刃装置Ｂが抜き差し係脱自在に装着されるようにしている。つまり、収納箱Ａ自体は、ラップフィルム１を切断する切刃５を備えていない。
【００１４】
≪付属装置の構成≫
図３は、本実施形態に係る切刃装置を示す斜視図および同縦断側面図である。ここでは、図１および図２を適宜参照しながら説明する。
付属装置Ｂは、図１および図２に示すように、収納箱Ａのラップ押え片部４の開口縁部に沿って抜き差し着脱自在に装着される刃部保持体６と、この刃部保持体６の長辺方向に沿って固着され、収納箱Ａ内から箱外に引き出されたラップフィルム１を切断する鋸刃状の金属製切刃５とを備えて構成されている。
【００１５】
≪刃部保持体の構成≫
刃部保持体６は、金属材や合成樹脂材などの弾性を有する材料によって形成されている。この刃部保持体６は、図１および図３に示すように、ラップ押え片部４の長辺方向に沿う長さで、一対の挟持片部６ａ，６ｂを有する断面視形状に形成されている。
【００１６】
一対の挟持片部６ａ，６ｂは、図３の（ｂ）に示すように、連設部６ｃ側の間隔をラップ押え片部４の厚さよりもやや広めとし、連設部６ｃを基点として、開放端部側に至るに連れて間隔が、ラップ押え片部４の厚さよりも漸次に狭まるように形成されている。
これにより、一対の挟持片部６ａ，６ｂは、ラップ押え片部４の開放縁部４ａを内外面から弾性作用によってしっかりと挟み込み、ラップ押え片部４から不用意に抜け外れないようにしている。
【００１７】
また、一対の挟持片部６ａ，６ｂは、図３に示すように、切刃５が取り付けられる側の一方の挟持片部６ａの連設部６ｃからの連設幅Ｌ１が、他方の挟持片部６ｂの連設幅Ｌ２よりも狭くした断面視で略Ｊ字形状に形成されている。
また、図３に示すように、挟持片部６ａの開放端部における一側コーナー側に斜めにカットされている差込み案内部７を備えている。
これにより、ラップ押え片部４に差し込み装着するときに、後記の図４に示すように、挟持片部６ｂの開放端部側をラップ押え片部４の一側面（外面側）に当てた状態で、なおかつ、差込み案内部７を、ラップ押え片部４の開放縁部４ａに対向させた状態で、挟持片部６ａを矢印Ｘ方向に広げつつ、ラップ押え片部４に嵌め合わせ差し込むことができるようにしている。
【００１８】
このように形成されている刃部保持体６に対する切刃５の取り付けは特に限定されるものではない。例えば、刃部保持体６が合成樹脂材などの成形材料を用いた押出し成形などによって一体に成形されている場合には、刃部保持体６の刃部取付け面（挟持片部）の長辺方向に等間隔をおいて固着ボスを備え、切刃側には固着ボスを突出させるボス孔を同じ間隔で備えて、切刃を刃取付け面に沿わせてあてがい、ボス孔から突出する固着ボスの突出部を溶かして平坦に潰すなどの溶着手段などによって一体的に取り付けることができる。
【００１９】
[作用説明]
つぎに、以上のように構成されている本実施形態に係る切刃装置Ｂの使用法について簡単に説明する。
図４は、切刃装置を収納箱のラップ押え片部に差し込み装着するときの手順を拡大して示す斜視図である。図５は、収納箱から引き出されたラップフィルムを切断するときの状態を示す縦断側面図である。ここでは、図１を適宜参照しながら説明する。
購入した切刃装置Ｂを切刃無しの収納箱Ａのラップ押え片部４に装着するときには、まず、図４の（ａ）に示すように、刃部保持体６の挟持片部６ｂ側をラップ押え片部４の外面側に当てて、なおかつ、挟持片部６ａ側に備えられている差込み案内部７を、ラップ押え片部４の開放縁部４ａに対向させた状態で、挟持片部７を矢印Ｘ方向に広げつつ、刃部保持体６を矢印Ｙ方向にずらすように移動させる。
これにより、図４の（ｂ）に示すように、ラップ押え片部４の一部を内外面側から挟み込むように、刃部保持体６の短辺一側が嵌め差し込まれる。
このようにして一対の挟持片部６ａ，６ｂの間にラップ押え片部４の一部を嵌め差し込み、つぎに、図４の（ｂ）に示す矢印Ｚ方向に刃部保持体６をスライド移動させることで、切刃装置Ｂを、図４の（ｃ）および図１に示すように、ラップ押え片部４に沿わせてその全長にわたり装着することができる。
【００２０】
そして、使用するときには、周知のように収納箱Ａを一方の手で掴み、図５の（ａ）および（ｂ）に示すように、収納箱Ａから引き出されたラップフィルム１を収納箱Ａの壁面（前面壁）と切刃装置Ｂが装着されているラップ押え片部４で押え、もう一方の手で引き出されたラップフィルム１の端部分を摘み、ラップフィルム１にテンションを掛けつつ切刃５に押し当てる。このとき、ラップフィルム１を刃部保持体６に備えられている切刃９に当てて切断することから、ラップ押え片部４の長辺方向（長手方向）に生じる曲げ作用による外力は刃部保持体６によって受け止められる。これにより、ラップ押え片部４には曲げ作用などの外力は直接掛からない。
【００２１】
そして、ラップフィルム１が無くなり、切刃装置Ｂが装着されている切刃無しの収納箱Ａが使用済みとなった場合には、切刃装置Ｂを一方の手で掴み、もう一方の手でラップ押え片部４を含めた収納箱Ａ全体を掴んだ状態で、切刃装置Ｂをラップ押え片部４から開放縁部４ａ方向にスライド移動させて取り外し、新しい収納箱Ａのラップ押え片部４に前記した手順にて付け替えることで、切刃装置Ｂを継続して使用することができる。
【００２２】
[他の実施形態の説明]
図６は、他の実施形態に係る切刃装置を示す斜視図であり、図７は、収納箱に装着した状態を示す縦断側面図である。
なお、この他の実施形態に係る切刃装置Ｂ−１では、図６および図７に示すように、刃部保持体６−１の一対の挟持片部６ａ−１，６ｂ−１のうち、挟持片部６ａ−１の開放端部に沿って湾曲させた差込み案内部８を備え、なおかつ、切刃５を挟持片部６ｂ−１に取り付けてなるものである。それ以外の構成要素においては前記した実施形態と基本的に同じことから、同じ構成要素に同じ符号を付することで重複説明は省略する。
【００２３】
すなわち、図６に示すように、刃部保持体６−１の挟持片部６ａ−１の開放端部に沿って緩やかに湾曲させることで、当該開放端部に差込み案内部８を備えた構成としている。
そして、切刃５は、挟持片部６ａ−１よりも幅広に形成されている挟持片部６ｂ−１に沿わせて備えた構成としている。
【００２４】
このように構成されている切刃装置Ｂ−１をラップ押え片部４の開放縁部４ａに沿って差し込み装着するときには、刃部保持体６−１の一対の挟持片部６ａ−１，６ｂ−１を、ラップ押え片部４ａの開放縁部４ａに対して平行に対向させた状態で、ラップ押え片部４に差し込み装着することができる。つまり、湾曲する差込み案内部８がガイドになって一対の挟持片部６ａ−１，６ｂ−１の間をラップ押え片部４の厚さに合わせて広げつつ、ラップ押え片部４に嵌め合わせ差し込むことができるようになっている。
【００２５】
なお、本発明の実施形態の具体的な構成は、前記した各実施形態に限られるものではなく、請求項１から請求項３に記載の本発明の要旨を逸脱しない範囲で設計変更などがあっても本発明に含まれるものである。
例えば、刃部保持体６，６−１の一対の挟持片部６ａ、６ａ−１，６ｂ、６ｂ−１の連設部６ｃから連設幅Ｌ１，Ｌ２は、同じ連設幅とする断面視で略Ｕ字形状に形成することができる。
また、切刃装置Ｂ，Ｂ−１をラップ押え片部４の開放縁部４ａに沿わせて差し込み装着したときに、ラップ押え片部４の外面側においてラップ押え片部４を挟持する挟持片部側、例えば、図５の（ｂ）に示す挟持片部６ｂ、図７に示す挟持片部６ａ−１側に沿わせて切刃５を取り付けることができる。
【図面の簡単な説明】
【００２６】
【図１】本実施形態に係る切刃装置を収納箱に装着した状態を示す斜視図である。
【図２】同縦断側面図である。
【図３】同切刃装置を示し、（ａ）は、斜視図であり、（ｂ）は、拡大して示す同銃弾側面図である。
【図４】同切刃装置を収納箱のラップ押え片部に差し込み装着するときの手順を拡大して示し、（ａ）は、刃部保持体の一対の挟持片部のうち、一方側の挟持片部をラップ押え片部の開放縁部に当てて差し込み操作を開始する状態を示す斜視図であり、（ｂ）は、差込み案内部を利用して一対の挟持片部の短辺一側を、ラップ押え片部の一部に差し込み装着させた状態を示す斜視図であり、（ｃ）は、一対の挟持片部全体をラップ押え片部に完全に差し込み装着させた状態を示す斜視図である。
【図５】同切刃装置が装着された収納箱からラップフィルムを引き出して切断するときの状態を示し、（ａ）は、収納箱からラップフィルムを引き出している状態の縦断側面図であり、（ｂ）は、引き出されたラップフィルムをラップ押え片部で押え、切刃に当てて切断するときの状態を示す縦断側面図である。
【図６】他の実施形態に係る切刃装置を示す斜視図である。
【図７】他の実施形態の係る付属装置を収納箱に装着した状態を示す縦断側面図である。
【符号の説明】
【００２７】
Ａ      収納箱
Ｂ，Ｂ−１  切刃装置
１      ラップフィルム（シート状物）
１ａ    ロール体
２      開口部（収納箱）
３      蓋体
４      ラップ押え片部
５      切刃
６，６−１  刃部保持体
６ａ，６ａ−１、６ｂ，６ｂ−１  挟持片部
７，８  差込み案内部
【図１】
2010100310.tif 000003
【図２】
2010100310.tif 000004
【図３】
2010100310.tif 000005
【図４】
2010100310.tif 000006
【図５】
2010100310.tif 000007
【図６】
2010100310.tif 000008
【図７】
2010100310.tif 000009